(57)【要約】    【課題】  キッチン設置時、リフォーム時、あるいは転居時等に、施工現場において意匠性を維持しつつ寸法調節が容易な配管スペースユニットを提供することを課題とする。    【解決手段】  配管スペースＳを覆う配管スペースユニット２に、キッチンキャビネット１が設置された床面Ｆから該キャビネット１の側面とほぼ同一面上で該キャビネット１の上面を超えて上方に延びる左右の側板２１，２１と、壁面Ｗに沿って該左右の側板２１，２１の上端部間に架設された天板２２と、上記キャビネット１の後部上端に載置されて、該後部上端から天板２２までの間における左右の側板２１，２１間の前面を覆う前板２３とを備える。そして、前板２３に切断することにより高さの変更が可能なものを使用し、上記前面を覆う高さｈ１に調節して用いる。さらに、前板２３を不燃ボードにステンレス製の薄板を被覆したパネル部材で構成する。【選択図】    図３
2006006703.tif 000002
【特許請求の範囲】
【請求項１】
キッチンキャビネットと該キャビネット後方の壁面との間に設けられた配管スペースを覆う配管スペースユニットであって、上記キャビネットが設置された床面から該キャビネットの側面とほぼ同一面上で該キャビネットの上面を超えて上方に延びる左右の側板と、壁面に沿って該左右の側板の上端部間に架設された天板と、上記キャビネットの後部上端に載置されて、該後部上端から天板までの間における左右の側板間の前面を覆う前板とを有すると共に、上記前板は、切断することにより高さの変更が可能なものが使用されて、上記前面を覆う高さに調節されて用いられていることを特徴とする配管スペースユニット。
【請求項２】
側板は、切断することにより高さの変更が可能なものが使用されて、天板の高さ位置に応じた高さに調節されて用いられていることを特徴とする請求項１に記載の配管スペースユニット。
【請求項３】
前板は、不燃材料板に金属板を被覆したパネル部材で構成されていることを特徴とする請求項１または請求項２に記載の配管スペースユニット。
【請求項４】
天板は、基板と該基板を覆う金属板で構成されていると共に、該金属板の前部が垂下して前板の上端部を覆うように折曲されていることを特徴とする請求項１から請求項３のいずれかに記載の配管スペースユニット。
【請求項５】
天板は、左右の側板の上端部に対して、係脱部材を用いて着脱可能に取り付けられていることを特徴とする請求項１から請求項４のいずれかに記載の配管スペースユニット。
【請求項６】
キッチンキャビネットの上面はステンレス製のワークトップで構成されており、かつ、天板及び前板の金属板は、上記ワークトップと同一のステンレス素材で形成されていることを特徴とする請求項３から請求項５のいずれかに記載の配管スペースユニット。
【発明の詳細な説明】
【技術分野】
【０００１】
本発明は、キッチンキャビネット後方の配管スペースに設置するユニットに関し、台所用家具の技術分野に属する。
【背景技術】
【０００２】
従来、シンクやガスコンロ等が備え付けられたキッチンキャビネットと後方の壁面との間に、水道管やガス管等を配管するためのスペースが設けられることがある。その場合、配管スペースが露出すると、キッチンとしての意匠性を損ねたり、あるいはごみや水等が入り込むことになる。このような不具合を解消するものとして、例えば、特許文献１には、配管スペースを前方と上方とから覆う断面Ｌ字状の天板が開示されている。また、特許文献２には、左右の側板と該側板間の中間部に組み付けられた天板と同じく上部に組み付けられた物品収納部とで配管スペースを覆うユニットが開示されている。
【０００３】
さらに、図８（ａ）に示す床面Ｆに設置されたキッチンキャビネットＡと壁面Ｗとの間の配管スペースを覆う配管スペースユニットＢは、床面ＦからキッチンキャビネットＡ上面のワークトップＡ１を超えて上方に延びる左右の側板（手前側のみ図示）Ｂ１，Ｂ１と、該側板Ｂ１，Ｂ１の上端部間に架設された天板Ｂ２と、ワークトップＡ１の後部上端から天板Ｂ２までの間における側板Ｂ１，Ｂ１間の前面を覆う前板Ｂ３とを備えており、この場合にも前述した不具合が解消されるようになる。
【０００４】
【特許文献１】特開平５−７９０６８号公報
【特許文献２】特開平７−８３４４号公報
【発明の開示】
【発明が解決しようとする課題】
【０００５】
ところで、キッチン設置時、リフォーム時、あるいは転居時等に、施工現場において配管スペースユニットＢの高さ調節を行なわなければならないことがある。例えば、前述した図８（ａ）の配管スペースユニットＢに比較して天板Ｂ２の高さ位置を低くした図８（ｂ）に示す新たな構成の配管スペースユニットＢ′への改造が要求される場合には、上記配管スペースユニットＢで用いた側板Ｂ１，Ｂ１及び前板Ｂ３をそれぞれ矢印ｘ，ｙで示す箇所で切断して鎖線ハッチングで示す部位を切除することによって高さが調節された側板Ｂ１′，Ｂ１′及び鎖線で示す前板Ｂ３′を用いればよいが、特に前板Ｂ３，Ｂ３′は不燃性が要求されることからステンレス、人工大理石、ほうろう板等の不燃材料でなる厚板が用いられることがあり、このような前板Ｂ３の施工現場における切断は容易ではない。
【０００６】
したがって、この場合には図８（ｂ）に示すように、現状寸法の前板Ｂ３が、天板Ｂ２から垂下されて下端部がキッチンキャビネットＡの背後に潜り込むように設置されることになる。その結果、キッチンキャビネットＡと配管スペースユニットＢ′詳しくは側板Ｂ１′，Ｂ１′との間に上記前板Ｂ３の厚み分の隙間Ｇが形成されて、側方から見たときの意匠性が損なわれるため、化粧パネル等でこの隙間Ｇを覆わなければならないという問題が生じるようになる。
【０００７】
そこで、本発明は、以上の現状に鑑み、キッチン設置時、リフォーム時、あるいは転居時等に、施工現場において意匠性を維持しつつ寸法調節が容易な配管スペースユニットを提供することを課題とする。
【課題を解決するための手段】
【０００８】
上記課題を解決するため、本発明は次のように構成したことを特徴とする。
【０００９】
まず、請求項１に記載の発明は、キッチンキャビネットと該キャビネット後方の壁面との間に設けられた配管スペースを覆う配管スペースユニットに関するもので、上記キャビネットが設置された床面から該キャビネットの側面とほぼ同一面上で該キャビネットの上面を超えて上方に延びる左右の側板と、壁面に沿って該左右の側板の上端部間に架設された天板と、上記キャビネットの後部上端に載置されて、該後部上端から天板までの間における左右の側板間の前面を覆う前板とを有すると共に、上記前板は、切断することにより高さの変更が可能なものが使用されて、上記前面を覆う高さに調節されて用いられていることを特徴とする。
【００１０】
次に、請求項２に記載の発明は、上記請求項１に記載の配管スペースユニットにおいて、側板は、切断することにより高さの変更が可能なものが使用されて、天板の高さ位置に応じた高さに調節されて用いられていることを特徴とする。
【００１１】
また、請求項３に記載の発明は、上記請求項１または請求項２に記載の配管スペースユニットにおいて、前板は、不燃材料板に金属板を被覆したパネル部材で構成されていることを特徴とする。
【００１２】
また、請求項４に記載の発明は、上記請求項１から請求項３のいずれかに記載の配管スペースユニットにおいて、天板は、基板と該基板を覆う金属板とで構成されていると共に、該金属板の前部が垂下して前板の上端部を覆うように折曲されていることを特徴とする。
【００１３】
また、請求項５に記載の発明は、上記請求項１から請求項４のいずれかに記載の配管スペースユニットにおいて、天板は、左右の側板の上端部に対して、係脱部材を用いて着脱可能に取り付けられていることを特徴とする。
【００１４】
そして、請求項６に記載の発明は、上記請求項３から請求項５のいずれかに記載の配管スペースユニットにおいて、キッチンキャビネットの上面はステンレス製のワークトップで構成されており、かつ、天板及び前板の金属板は、上記ワークトップと同一のステンレス素材で形成されていることを特徴とする。
【発明の効果】
【００１５】
まず、請求項１に記載の発明によれば、配管スペースユニットを側板と天板と前板とを有するものとし、キッチンキャビネットの後部上端から天板までの間の左右の側板間の前面を覆う前板を、該前面を覆う高さに調節するので、従来のように前板の下端部をキャビネットの背後に潜り込ませることによるキャビネットと配管スペースユニットとの間の隙間は形成されない。したがって、キッチン設置時、リフォーム時、あるいは転居時等に、施工現場において意匠性を維持しつつ寸法調節が容易な配管スペースユニットが実現される。
【００１６】
次に、請求項２に記載の発明によれば、天板の高さ位置に応じて側板の高さを調節するので、該側板の上端部間に架設される天板の高さ位置を容易に変更することができる。
【００１７】
また、請求項３に記載の発明によれば、前板は不燃材料板と金属板とを備えているので、不燃化を図ることができる。
【００１８】
また、請求項４に記載の発明によれば、天板を基板と金属板とで構成するので、堅固な天板が得られる。その上で、金属板において垂下する前部で前板の上端部を覆うので、切断によって高さ調節された前板の切断端部は隠蔽され、意匠性が維持される。
【００１９】
また、請求項５に記載の発明によれば、天板を左右の側板の上端部に対して着脱可能としたので、適宜天板を取り外すことにより、配管スペースに設置された配管の点検が容易となる。
【００２０】
そして、請求項６に記載の発明によれば、天板及び前板の金属板をキッチンキャビネット上面のワークトップと同一のステンレス素材で形成したので、さびの発生が防止されるのはもちろんのこと、正面視でキッチンキャビネットと配管スペースユニットとが統一デザインとされ、高級感溢れるキッチンが実現される。
【発明を実施するための最良の形態】
【００２１】
以下、本発明の実施の形態に係る配管スペースユニットについて説明する。
【００２２】
図１及び図２に示すように、床面Ｆに設置されたキッチンキャビネット１と後方の壁面Ｗとの間に配管スペースＳが設けられており、ここに該スペースＳを覆う配管スペースユニット２が設置されている。
【００２３】
すなわち、キッチンキャビネット１は、キャビネット本体１１と、該本体１１の上部に載置されたステンレス製のワークトップ１２とを有している。ワークトップ１２には、左側のガスコンロ１３と右側のシンク１４と後部のバックガード１５とが備え付けられている。本体１１内には、図示しない給水本管及び給湯本管から配管スペースＳや本体１１の後板１６に設けられた開口１６ａを経由してシンク１４上方の水栓１７に接続された給水管１８ａ及び給湯管１８ｂと、シンク１４下部から上記開口１６ａや配管スペースＳを経由して図示しない排水本管に接続された排水管１９とが設けられている。なお、ガスコンロ１３に接続されたガス管は省略している。
【００２４】
本発明の特徴部分である配管スペースＳを覆う配管スペースユニット２は、図３に示すように、上記キッチンキャビネット１が設置された床面Ｆから該キャビネット１の側面とほぼ同一面上で該キャビネット１の上面を超えて上方に延びる左右の側板２１，２１と、壁面Ｗに沿って該左右の側板２１，２１の上端部間に架設された天板２２と、上記キャビネット１の後部上端に載置されて、該後部上端から天板２２までの間における左右の側板２１，２１間の前面を覆う前板２３とを有している。なお、図３では、配管スペースユニット２の構成を明示するため、天板２２のみ分解して架設前の状態とされている。
【００２５】
上下に長い側板２１，２１は、左右に長い３つの横桟木２４…２４で図示しないダボとダボ孔との係合を介して連結されている。また、前板２３の背後つまり左右の側板２１，２１間の上部前部に取付板２５が架設されており、該取付板２５の下端部は、前板２３の下端部よりさらに下方に延びている。また、前後に対向する取付板２５と横桟木２４とは、左右方向のほぼ中間箇所で比較的上下寸法が短い支持板２６で接着剤を介して連結されており、これによりフレーム２７が形成されている。なお、側板２１，２１、横桟木２４…２４、取付板２５、及び支持板２６は、いずれもパーティクルボードのような木質のものである。
【００２６】
図４に示すように、フレーム２７の上端部間つまり左右の側板２１，２１の上端部間に天板２２が架設されている。なお、図４についての説明において、「前、後」とは図例の矢印方向を、また、「左、右」とは奥方側と手前側とを示す。
【００２７】
天板２２は、合板製の基板２２ａと該基板２２ａを覆うステンレス製の薄板２２ｂとで構成されている。薄板２２ｂは、左右と後部とが垂下するように折曲されていると共に、前部が一旦垂下したのち基板２２ａ方向に向かった上で上方に折り込まれている。また、薄板２２ｂ表面には、アクリルシリコン塗装が施されている。これにより、油汚れを容易に洗い流すことができるようになる。
【００２８】
基板２２ａと薄板２２ｂとは両面接着テープで固定されている。そして、各側板２１の上端面に設けられた２つのダボ２１ａ，２１ａと基板２２ａに設けられた２つのダボ孔２２ａ′，２２ａ′との係合を介し、天板２２がフレーム２７に対して着脱可能に取り付けられている。
【００２９】
キッチンキャビネット１の後部上端つまりワークトップ１２のバックガード１５に載置されて、該バックガード１５から天板２２までの間における左右の側板２１，２１間の前面を覆う前板２３は、上記取付板２５の前面に両面接着テープで貼着されている。そして、前板２３の上端部は、天板２２における薄板２２ｂの前部折曲部によって覆われるように設けられている。さらに、矢印ａで示す天板２２と前板２３との隙間、及び矢印ｂで示すバックガード１５と前板２３との隙間はそれぞれコーキングされている。
【００３０】
前板２３は、ケイ酸カルシウム製の不燃ボード２３ａに耐熱性接着剤を用いてステンレス製の薄板２３ｂを貼着した高さｈ１のパネル部材で構成されている。そして、この前板２３は、図５及び図６に示すような、薄板２３ｂ′の４周縁部が折曲されて、これら折曲片で不燃ボード２３ａ′の４方端面が覆われ、かつ、高さ調節前つまり切断前に高さｈ０とされた前板２３′を、矢印ｃで示す箇所で切断することによって得られる。なお、図３に示すように、前述した横桟木２４…２４のうち最下方の横桟木２４は、左右の側板２１，２１における床面Ｆからの設置高さが上記高さｈ０となるように取り付けられている。
【００３１】
不燃ボード２３ａ，２３ａ′には厚み３ｍｍ、一方、薄板２３ｂ，２３ｂ′には厚み０．７ｍｍのものが使用されている。薄板２３ｂ，２３ｂ′の厚みは０．１ｍｍ以上、１ｍｍ以下が好ましく、これにより、前板２３，２３′の耐久性を維持しつつ、高さ調節時に例えば電動丸鋸等による前板２３′の切断が容易となる。また、薄板２３ｂ，２３ｂ′表面には、アクリルシリコン塗装が施されている。これにより、油汚れを容易に洗い流すことができるようになる。
【００３２】
次に、この配管スペースユニット２の施工現場における組立手順について説明する。一例として、キッチンキャビネット１に応じて高さを調節された前板２３を用いた配管スペースユニット２の場合について説明する。
【００３３】
まず、図３に示したように、左右一対の側板２１，２１に横桟木２４…２４、取付板２５、及び支持板２６を組み付けてフレーム２７を形成する。このフレーム２７の後面を壁面Ｗにネジ止めし、前面をキッチンキャビネット１にネジ止めする。なお、この場合、側板２１，２１の高さを変更しなくても所定の天板２２の高さ位置が実現されている。
【００３４】
キッチンキャビネット１の本体１１上部にワークトップ１２を載置する。フレーム２７の取付板２５の前面上部に前板２３を貼着する。
【００３５】
このとき、キッチンキャビネット１の後部上端つまりワークトップ１２のバックガード１５から架設される天板２２までの高さｈ１が、図５及び図６に示した高さ調節前の前板２３′の高さｈ０より低いと、不燃ボード２３ａ′にステンレス製の薄板２３ｂ′を被覆したパネル部材で構成されていると共に不燃ボード２３ａ′の４方端面が薄板２３ｂ′の折曲片で覆われた高さｈ０の該前板２３′を、高さｈ１の部位が得られるように矢印ｃ及び鎖線で示す箇所で電動丸鋸で切断し、図４に示したような、バックガード１５から天板２２までの間における左右の側板２１，２１間の前面を覆うことができる高さｈ１に調節された前板２３とする。その場合、前板２３′の不燃ボード２３ａ′は厚み３ｍｍ、また、薄板２３ｂ′は厚み０．７ｍｍであるので、電動丸鋸のような施工現場で多用される切断手段による切断は容易である。
【００３６】
図４に示したように、所定高さｈ１に調節された前板２３を、薄板２３ｂを前方に向けると共に切断端面を上方に向け、かつ、下端部をバックガード１５に載置させて、取付板２５の前面上部に貼着する。その場合、前板２３の切断端面では、不燃ボード２３ａ及び薄板２３ｂの切断端面は露出している。一方、前板２３の下端部では、不燃ボード２３ａの端面は薄板２３ｂの折曲片で覆われている。
【００３７】
フレーム２７の上端部にダボ２１ａ…２１ａとダボ孔２２ａ′…２２ａ′との係合を介して基板２２ａを取り付け、そして、薄板２２ｂで該基板２２ａを覆う。これにより、所定の高さ位置に基板２２ａと薄板２２ｂとでなる天板２２が設定されるようになる。そして、矢印ａで示す天板２２と前板２３との隙間、及び矢印ｂで示すバックガード１５と前板２３との隙間をそれぞれコーキングする。
【００３８】
以上のように構成したことにより、まず、配管スペースユニット２を左右の側板２１，２１と上部の天板２２と上部前部の前板２３とを有するものとし、キッチンキャビネット１の後部上端つまりワークトップ１２のバックガード１５から天板２２までの間の左右の側板２１，２１間の前面を覆う前板２３を、該前面を覆う高さｈ１に調節するので、従来のように前板の下端部をキャビネットの背後に潜り込ませることによるキャビネットと配管スペースユニットとの間の隙間は形成されない。したがって、キッチン設置時、リフォーム時、あるいは転居時等に、施工現場において意匠性を維持しつつ寸法調節が容易な配管スペースユニット２が実現される。
【００３９】
さらに、高さの変更が可能な前板２３′を用いるため、特にキッチン設置時には、予め各種高さの前板を準備しなくてもよく、部材を共通化することができるメリットがある。
【００４０】
また、前板２３はケイ酸カルシウム製の不燃ボード２３ａとステンレス製の薄板２３ｂとを備えているので、不燃化を図ることができる。
【００４１】
また、天板２２を基板２２ａと該基板２２ａを覆うステンレス製の薄板２２ｂとで構成するので、堅固な天板２２が得られる。その上で、薄板２２ｂにおいて垂下する前部で前板２３の上端部を覆うので、切断によって高さ調節された前板２３の切断端部は隠蔽され、意匠性が維持される。
【００４２】
また、天板２２を基板２２ａを介して左右の側板２１，２１の上端部に対してダボ２１ａ…２１ａのような係脱部材を用いて着脱可能としたので、適宜天板２２を取り外すことにより、配管スペースＳに設置された給水管１８ａ、給湯管１８ｂ、及びガス管の点検が容易となる。
【００４３】
そして、天板２２及び前板２３の薄板２２ｂ，２３ｂをキッチンキャビネット１上面のワークトップ１２と同一のステンレス素材で形成したので、さびの発生が防止されるのはもちろんのこと、正面視でキッチンキャビネット１と配管スペースユニット２とが統一デザインとされ、高級感溢れるキッチンが実現される。
【００４４】
次に、天板２２の高さ位置に応じて高さを調節された側板２１，２１を用いた配管スペースユニットとその組立手順の一例について説明する。なお、この配管スペースユニットの前方には、図２に示したキッチンキャビネット１が設置されるものとする。
【００４５】
すなわち、図３に示した高さ調節前の側板２１，２１の下部を所定部位だけ例えば電動丸鋸で切除し、図７に示すような新たな高さの側板２１″，２１″とする。そして、該側板２１″，２１″の上端部間に天板２２を架設する。その場合、高さ調節前の前板２３′も上部を所定部位だけ、つまり前述した側板２１，２１における切除分だけ切除して、新たな高さｈ２の前板２３″とする。
【００４６】
このように、切断することにより高さの変更が可能な側板２１，２１を使用し、天板２２の高さ位置に応じた高さに調節された新たな側板２１″，２１″を用いるので、該側板２１″，２１″の上端部間に架設される天板２２の高さ位置を容易に変更することができる。
【００４７】
さらに、図５及び図６に示した高さ調節前の前板２３′の高さｈ０と、図３に示した高さ調節前の側板２１，２１における最下方の横桟木２４の床面Ｆからの取付高さｈ０とを一致させているので、図７に示すように、キッチンキャビネット１のワークトップ１２におけるバックガード１５に高さｈ２に調節された前板２３″が載置されているときには、上記最下方の横桟木２４は床面Ｆから高さｈ２の箇所に位置して新たな配管スペースユニット２″に留まることになる。したがって、この配管スペースユニット２″の強度は良好に維持される。
【００４８】
なお、上記実施の形態では、高さ調節前の前板２３′を所定高さｈ１，ｈ２に切断した前板２３，２３″を用いたが、調節の必要がない場合には上記前板２３′をそのまま用いてもよい。
【００４９】
また、上記実施の形態では、前板２３の不燃ボード２３ａにケイ酸カルシウム製のものを用いたが、これに限定されることはなく、適宜の不燃材料を用いることができる。
【００５０】
そして、上記実施の形態では、取付板２５は前板２３に比較して高さが高く、その下端部は前板２３の下端部よりさらに下方に延びていたが、高さを低くしてもよいし、さらには取付位置を適宜変更してもよい。
【産業上の利用可能性】
【００５１】
以上説明したように、本発明によれば、キッチン設置時、リフォーム時、あるいは転居時等に、施工現場において意匠性を維持しつつ寸法調節が容易な配管スペースユニットが提供される。すなわち、本発明は、キッチンキャビネット後方の配管スペースに設置するユニットに関し、台所用家具の技術分野に広く好適である。
【図面の簡単な説明】
【００５２】
【図１】本発明の実施の形態に係る配管スペースユニットをキッチンキャビネットの後方に設置した状態を示す正面図である。
【図２】同じく側面図である。
【図３】配管スペースユニットの斜視図であって、天板のみ架設前の様子を示す。
【図４】図１のＩＩ−ＩＩ線による拡大断面図であって、天板及び前板の設置状態を示す。
【図５】高さ調節前の前板の斜視図である。
【図６】図５の矢印ＩＩＩによる一部を破断した拡大矢視図である。
【図７】側板のｄ高さを調節した場合の状態を示す図２に相当する側面図である。
【図８】従来の配管スペースユニットにおける問題を説明するための側面図であって、（ａ）は天板の高さ位置を変更する前の状態、（ｂ）は天板の高さ位置を変更した状態を示す。
【符号の説明】
【００５３】
１        キッチンキャビネット
２，２″        配管スペースユニット
１２      ワークトップ
２１，２１″    側板
２２      天板
２２ａ    基板
２２ｂ    薄板（金属板）
２３，２３′，２３″    前板
２３ａ，２３ａ′    不燃ボード（不燃材料板）
２３ｂ，２３ｂ′    薄板（金属板）
Ｆ        床面
Ｓ        配管スペース
Ｗ        壁面
【図１】
2006006703.tif 000003
【図２】
2006006703.tif 000004
【図３】
2006006703.tif 000005
【図４】
2006006703.tif 000006
【図５】
2006006703.tif 000007
【図６】
2006006703.tif 000008
【図７】
2006006703.tif 000009
【図８】
2006006703.tif 000010